(57)【要約】【課題】複数の壁面材が上下方向に繋げられた壁であっても累積する施工誤差が視認され難い壁構造等を提供する。【解決手段】支柱に固定されている複数の壁面材が上下方向に繋がっている壁構造であって、前記複数の壁面材のうちの上下に隣接する２つの前記壁面材において上側に位置する上壁面材は、下端部に、前記支柱に固定される固定部と、前記２つの前記壁面材において下側に位置する下壁面材の上端部が係合される被係合部と、を有し、前記下壁面材は、上端部に、前記被係合部と係合する係合部を有し、前記係合部は、前記支柱に固定された前記固定部に対し前記支柱とは反対側となる壁外側にて前記被係合部と係合し、前記固定部を覆っている。【選択図】図３
2019203322.tif 000002
【特許請求の範囲】
【請求項１】
支柱に固定されている複数の壁面材が上下方向に繋がっている壁構造であって、
前記複数の壁面材のうちの上下に隣接する２つの前記壁面材において上側に位置する上壁面材は、下端部に、前記支柱に固定される固定部と、前記２つの前記壁面材において下側に位置する下壁面材の上端部が係合される被係合部と、を有し、
前記下壁面材は、上端部に、前記被係合部と係合する係合部を有し、
前記係合部は、前記支柱に固定された前記固定部に対し前記支柱とは反対側となる壁外側にて前記被係合部と係合し、前記固定部を覆っていることを特徴とする壁構造。
【請求項２】
請求項１に記載の壁構造であって、
前記固定部は、前記支柱と対面し壁の厚み方向に進入する固定具により固定されており、
前記上壁面材は、前記固定部において、前記固定具より下から壁外側に延出された下延出部と、前記固定具の上から壁外側に延出され壁面を形成する壁面部と連結された壁面連結部と、を有し、
前記係合部は、前記下延出片に載置されていることを特徴とする壁構造。
【請求項３】
請求項１または請求項２に記載の壁構造であって、
前記複数の壁面材のうちの最も上に位置する前記壁面材は、前記支柱側の部位と係合して上下方向の位置が決めされる位置決め係合部を有していることを特徴とする壁構造。
【請求項４】
請求項１乃至請求項３のいずれかに記載の壁構造であって、
前記支柱は地面から立設されており、
前記複数の壁面材のうちの最も下に位置する前記壁面材は、下端部が地中に埋められていることを特徴とする壁構造。
【請求項５】
請求項１乃至請求項４のいずれかに記載の壁構造であって、
前記壁面材が上下方向に間隔を空けた壁面材非装着部を有していることを特徴とする壁構造。
【請求項６】
請求項５に記載の壁構造であって、
前記壁面材は、前記支柱を挟み両側に設けられており、
前記支柱の両側に前記壁面材非装着部を有し、
前記壁面材非装着部の上縁をなす前記壁面材の下端同士、及び、前記壁面材非装着部の下縁をなす前記壁面材の上端同士の間を塞ぐ横材が設けられていることを特徴とする壁構造。
【請求項７】
請求項６に記載の壁構造であって、
前記壁面材非装着部の下縁をなす前記壁面材は、当該壁面材間を塞ぐ前記横材に対して位置決めされていることを特徴とする壁構造。
【請求項８】
支柱に固定されている複数の壁面材が上下方向に繋がっている壁構造の施工方法であって、
前記複数の壁面材のうちの上下に位置する２つの前記壁面材において上側に位置する上壁面材の下端部に設けられている固定部を前記支柱に固定する上壁面材固定ステップと、
前記２つの前記壁面材において下側に位置する下壁面材の上端部を、前記支柱に固定されている前記上壁面材の前記固定部よりも壁外側で前記上壁面材の下端部に係合する下壁面材係合ステップと、
前記下壁面材の下端部を前記支柱に固定する下壁面材固定ステップと、
を有することを特徴とする壁構造の施工方法。
【発明の詳細な説明】
【技術分野】
【０００１】
本発明は、支柱に固定されている複数の壁面材が上下方向に繋がっている壁構造及び壁構造の施工方法に関する。
【背景技術】
【０００２】
支柱に固定されている複数の壁面材が上下方向に繋がっている構造体として、複数の細長いパネルが上下方向に繋げて支柱に取り付けられる目隠しバルコニーのパネル取付構造が知られている（例えば、特許文献１参照）。この目隠しバルコニーのパネル取付構造に用いる細長いパネルは、下端に段部を設けた挿入片等の挿入部が設けられ、上端に挿入溝などの嵌合部が設けられている。複数のパネルは、下側に配置されるパネルの上端に設けられた嵌合部に、上側に配置されるパネルの挿入部を嵌めて順次連結されている。
【先行技術文献】
【特許文献】
【０００３】
【特許文献１】実開昭６１−１５９５４０号公報
【発明の概要】
【発明が解決しようとする課題】
【０００４】
上記従来の目隠しバルコニーのパネル取付構造により、取り付けられる複数のパネルは、下から上に順次取り付けられていく。このため、複数のパネルの取り付けに伴う施工誤差は、高くなるにつれて累積する。このため、最も上のパネルを取り付けると、施工図通りに施工されている単品の支柱と高さとの間にずれが生る。このような、パネルと支柱との高さの差が露出しないように、支柱の上に取り付ける笠木の見付け幅を大きくしてしまうと、意匠性が低下するという課題がある。
【０００５】
本発明は、かかる課題に鑑みてなされたものであり、その目的とするところは、複数の壁面材が上下方向に繋げられた壁であっても累積する施工誤差が視認され難い壁構造及び壁構造の施工方法を提供することにある。
【課題を解決するための手段】
【０００６】
かかる目的を達成するために本発明の壁構造は、支柱に固定されている複数の壁面材が上下方向に繋がっている壁構造であって、前記複数の壁面材のうちの上下に隣接する２つの前記壁面材において上側に位置する上壁面材は、下端部に、前記支柱に固定される固定部と、前記２つの前記壁面材において下側に位置する下壁面材の上端部が係合される被係合部と、を有し、前記下壁面材は、上端部に、前記被係合部と係合する係合部を有し、前記係合部は、前記支柱に固定された前記固定部に対し前記支柱とは反対側となる壁外側にて前記被係合部と係合し、前記固定部を覆っていることを特徴とする壁構造である。
【０００７】
このような壁構造によれば、上壁面材を固定した後に、上壁面材が固定された固定部の壁外側にて下壁面材の係合部が被係合部に係合される。このとき、係合部は固定部を覆っているので、複数の壁面材は、上から順次取り付けられる。このため、複数の壁面材が取り付けられたときの施工誤差を、視野に入りにくい壁の下端側に累積させることが可能である。このため、複数の壁面材が上下方向に繋げられても累積する施工誤差が視認され難い壁構造を提供することが可能である。
【０００８】
かかる壁構造であって、前記固定部は、前記支柱と対面し壁の厚み方向に進入する固定具により固定されており、前記上壁面材は、前記固定部において、前記固定具より下から壁外側に延出された下延出部と、前記固定具の上から壁外側に延出され壁面を形成する壁面部と連結された壁面連結部と、を有し、前記係合部は、前記下延出片に載置されていることを特徴とする。
【０００９】
このような壁構造によれば、下壁面材の係合部は、上壁面材が固定具により柱に固定される固定部の下から延出されている下延出片上に載置されるので、係合部が被係合部と係合することにより上壁面材を固定している固定具を隠すことが可能である。このため、より意匠性が向上する。また、係合部が下延出片上に載置されるので、下壁面材を、上壁面材を基準に位置決めすることが可能である。更に、取り付ける際には、下壁面材を上壁面材に引っ掛けることができるので、施工性にも優れている。
【００１０】
かかる壁構造であって、前記複数の壁面材のうちの最も上に位置する前記壁面材は、前記支柱側の部位と係合して上下方向の位置が決めされる位置決め係合部を有していることを特徴とする。
【００１１】
このような壁構造によれば、最も上に位置する壁面材が、位置決め係合部を有しているので、最も上に位置する壁面材を支柱側の部位と係合させることにより、最も上に位置する壁面材の上下方向の位置が決められる。このため、上から順次取り付けられる壁面材の基準となる最も上に位置する壁面材を、適切な位置に固定することが可能である。
【００１２】
かかる壁構造であって、前記支柱は地面から立設されており、前記複数の壁面材のうちの最も下に位置する前記壁面材は、下端部が地中に埋められていることを特徴とする。
【００１３】
このような壁構造によれば、複数の壁面材が上から順次取り付けられて施工誤差が壁の下端側に累積しても、下端部は地中に埋められるので、施工誤差によるずれが露出することを防止することが可能である。
【００１４】
かかる壁構造であって、前記壁面材が上下方向に間隔を空けた壁面材非装着部を有していることを特徴とする。
このような壁構造によれば、上下方向に間隔を空けた壁面材非装着部を備えた壁を形成することが可能である。
【００１５】
かかる壁構造であって、前記壁面材は、前記支柱を挟み両側に設けられており、前記支柱の両側に前記壁面材非装着部を有し、前記壁面材非装着部の上縁をなす前記壁面材の下端同士、及び、前記壁面材非装着部の下縁をなす前記壁面材の上端同士の間を塞ぐ横材が設けられていることを特徴とする。
【００１６】
このような壁構造によれば、壁面材の上下方向に間隔が空いている壁面材非装着部の、上縁をなす壁面材の下端同士、及び、下縁をなす壁面材の上端同士の間を塞ぐ横材が設けられているので、支柱の両側に設けられている壁面材間が外部に露出しにくい。このため、より意匠性に優れた壁構造を提供することが可能である。
【００１７】
かかる壁構造であって、前記壁面材非装着部の下縁をなす前記壁面材は、当該壁面材間を塞ぐ前記横材に対して位置決めされていることを特徴とする。
【００１８】
このような壁構造によれば、壁面材非装着部の下に位置する壁面材の上端と、壁面材非装着部の下に位置する壁面材間を塞ぐ横材の上端とを揃えて配置することが可能である。このため、より意匠性に優れている。また、壁面材と横材の上端が平坦に揃うので、窪みが形成されず、横材上に水が溜まることを防止することが可能である。
【００１９】
また、支柱に固定されている複数の壁面材が上下方向に繋がっている壁構造の施工方法であって、前記複数の壁面材のうちの上下に位置する２つの前記壁面材において上側に位置する上壁面材の下端部に設けられている固定部を前記支柱に固定する上壁面材固定ステップと、前記２つの前記壁面材において下側に位置する下壁面材の上端部を、前記支柱に固定されている前記上壁面材の前記固定部よりも壁外側で前記上壁面材の下端部に係合する下壁面材係合ステップと、前記下壁面材の下端部を前記支柱に固定する下壁面材固定ステップと、を有することを特徴とする壁構造の施工方法である。
【００２０】
このような壁構造の施工方法によれば、上壁面材を固定した後に、上壁面材が固定された固定部の壁外側に下壁面材を係合させて、複数の壁面材が、上から順次取り付けられるので、施工誤差を壁構造の下端側に累積させることが可能である。このため、複数の壁面材を上から下に順次取り付けていくだけで、累積する施工誤差が視認され難い壁を容易に施工することが可能である。
【発明の効果】
【００２１】
本発明によれば、複数の壁面材が上下方向に繋げられた壁であっても累積する施工誤差が視認され難い壁構造及び壁構造の施工方法を提供することが可能である。
【図面の簡単な説明】
【００２２】
【図１】本発明の壁構造が適用された壁の一例を示す正面図である。
【図２】図１におけるＡ−Ａ断面図である。
【図３】最上壁面材とその下に設けられる中間壁面材の固定構造を示す縦断面図である。
【図４】壁の施工方法を示す縦断面図である。
【図５】中間部分に通気口が設けられている壁を示す正面図である。
【図６】通気口が設けられている部位の構成を示す縦断面図である。
【発明を実施するための形態】
【００２３】
以下、本発明の一実施形態に係る壁構造について図面を参照して説明する。
本実施形態の壁構造をなす壁１は、図１に示すように、屋外の地上に立設されている。
【００２４】
壁１は、地上に立設された５本の支柱２と、５本の支柱２を上端部にて繋ぐ横材３と、５本の支柱に渡って取り付けられ壁面を形成する複数の壁面材４と、５本の支柱２に渡り上部を覆う笠木５と、横材３上に固定され笠木５を係止する笠木係止部材６と、を有している。
【００２５】
支柱２は、断面が矩形状をなす中空の押出成形部材であり、下端が地中に埋設されて自立している。５本の支柱２は、断面が同一の矩形状をなす各支柱２の１つの側面が、同一の平面をなすように直線状に並べて配置されている。各支柱２には、５本の支柱２が並べられている方向と直交する方向における両側の面に壁面材４が固定され壁面が形成される。
【００２６】
以下の説明においては、立設する壁１に対し、上下となる方向を上下方向、左右となり５本の支柱２が並ぶ方向を左右方向、５本の支柱２が並ぶ方向と直行し壁１の厚みとなる方向を壁厚方向として示す。壁１の各部位であっても、また、壁１をなす各部材が単体の状態であっても、取り付けられた状態にて上下方向、左右方向、壁厚方向となる方向にて方向を特定して説明する。
【００２７】
図２に示すように、横材３は、支柱２の壁厚方向の幅と同じ幅を有し、断面が矩形状をなす中空の押出成形部材であり、固定部材７により各支柱２に固定されている。横材３は、５本の支柱２のうちの両端に位置する２本の支柱２ａ間に架け渡されている。５本の支柱２のうちの両端の支柱２ａを除く３本の支柱（以下、３本の内側の支柱という）２ｂは、横材３の上下方向の厚み分、両端の支柱２ａより低く立設されている。両端の支柱２ａに架け渡された横材３は、３本の内側の支柱２ｂの上端に載置されている。
【００２８】
固定部材７は、図３に示すように、断面がＬ字状をなし、Ｌ字状をなす２枚の板部７ａ、７ｂのうちの一方の板部７ａが、横材３の下面にビス止めされ、２枚の板部７ａ、７ｂのうちの他方の板部７ｂが、互いに隣り合う支柱２において互いに対面する側面２ｃにビス止めされている。
【００２９】
笠木係止部材６は、横材３の上に固定されており、横材３の上面に載置される平板状の下板部６ａと、下板部６ａから上方に突出し壁面材４が係合される壁面材係合部６ｂ、及び、笠木５が係止される笠木係止片６ｃと、を有している。
【００３０】
下板部６ａは、横材３の壁厚方向の幅とほぼ同じ幅を有している。壁面材係合部６ｂは、下板部６ａの壁厚方向における両端部から上方に延出させて設けられている。壁厚方向の両側に設けられた壁面材係合部６ｂの上縁が最も上に位置する壁面材（以下、最上壁面材という）４０の係合部６ｄをなしており、各々の壁面材係合部６ｂの上縁に最上壁面材４０の位置決め係合部としての上端係合部４０ａが係合することにより、最上壁面材４０が位置決めされる。
【００３１】
笠木係止片６ｃは、下板部６ａの両側に設けられている各壁面材係合部６ｂと、壁厚方向における中央側に間隔を隔てて２つ設けられている。笠木係止片６ｃは、壁面材係合部６ｂより高く延出されている。
【００３２】
笠木５は、図２に示すように、支柱２及び最上壁面材４０の上に位置して平坦な上面をなす上面板部５ａと、上面板部５ａの壁厚方向における両縁から垂設された垂設板部５ｂと、各垂設板部５ｂと壁厚方向における中央側に間隔を隔てて設けられ笠木係止片６ｃに係止される笠木被係止片５ｃとを有している。笠木被係止片５ｃが笠木係止片６ｃに係止されると、壁厚方向の両側に設けられた垂設板部５ｂが各壁面より壁厚方向の外側に位置するように形成されている。
【００３３】
壁面材４は、上下方向の幅が左右方向の幅より狭い、横方向に細長い押出成形により形成されたパネル材である。壁厚方向において、支柱２の両面に形成される壁面は、上下方向に複数の壁面材４が並べて形成されている。
【００３４】
上下方向に並べて支柱２に固定される複数の壁面材４は、最も上に位置する最上壁面材４０と、最も下に位置する最下壁面材４１と、最上壁面材４０と最下壁面材４１との間に配置される中間壁面材４２との３種類の壁面材４により壁面が構成されている。
【００３５】
最上壁面材４０は、図３に示すように、上端部が笠木係止部材６に係止されて下端部が支柱２に、壁厚方向に進入するビス２０により固定され、中間壁面材４２は、上端部が、上に配置されて隣接する最上壁面材４０または中間壁面材４２の下端部に係合されて下端部が支柱２にビス止めされ、最下壁面材４１は、上端部が、上に配置されて隣接する中間壁面材４２の下端部に係合されて下端部が支柱２にビス止めされている。また、最下壁面材４１は、下端部が地面ＧＬより低い位置に配置され、下部は地中に埋設されている。
【００３６】
最上壁面材４０は、支柱２に固定されて鉛直な壁面をなす上壁面部４０ｂと、上壁面部４０ｂの上端から上方に向かって支柱２との間隔が狭くなる傾斜を備えた上端傾斜部４０ｃと、上端傾斜部４０ｃの上縁に設けられ笠木係止部材６の壁面材係合部６ｂと係合する上端係合部４０ａと、上壁面部４０ｂの下部に設けられた上壁面材止着部４０ｄと、上壁面部４０ｂの上下方向における中央部近傍に設けられ支柱２との間隔を保つ間隔保持片４０ｅと、を有している。
【００３７】
上壁面材止着部４０ｄは、支柱２にビス止めされる固定部としての固定板部４０ｆと、固定板部４０ｆの上縁から壁厚方向において壁１の外側（以下、壁外側という）に向かって延出され上壁面部４０ｂの下部に繋がる壁面連結部４０ｇと、固定板部４０ｆの下縁から壁厚方向において壁外側に向かってほぼ水平に延出された下延出部４０ｈと、を有している。固定板部４０ｆは、上壁面部４０ｂの壁面と平行をなし支柱２と対面して当接されてビス止めされる。
【００３８】
壁面連結部４０ｇと下延出部４０ｈとは、上下方向に間隔を隔てて対面しており、上壁面部４０ｂの下端は壁面連結部４０ｇよりも下に位置している。上壁面部４０ｂの下端は、下方に向かって支柱２との間隔が狭くなるように傾斜した下端傾斜部４０ｉを有している。下端傾斜部４０ｉの下縁は、下延出部４０ｈよりも高い位置に位置している。本実施形態の下端傾斜部４０ｉの下縁は、壁面連結部４０ｇと下延出部４０ｈとの上下方向における中央の位置よりも上側に位置している。
【００３９】
間隔保持片４０ｅは、最上壁面材４０がビス止めされた状態で、支柱２と上壁面部４０ｂとの間隔より僅かに長く、上壁面部４０ｂから壁厚方向における中央側に延出されている。このため、最上壁面材４０は、上端係合部４０ａが壁面材係合部６ｂに係合されて、固定板部４０ｆが支柱２にビス止めされると、間隔保持片４０ｅが支柱２を壁厚方向に押圧することにより、上壁面部４０ｂが壁外側に引っ張られる。このとき、上端係合部４０ａが壁面材係合部６ｂを壁外側に引っ張ることにより、上端係合部４０ａと壁面材係合部６ｂとがより確実に係合され、最上壁面材４０は、位置決めされると共に安定した状態で支柱２に固定される。
【００４０】
中間壁面材４２は、支柱２に固定されて鉛直な壁面をなす中間壁面部４２ｂと、中間壁面部４２ｂの上端に設けられ上方に向かって支柱２との間隔が狭くなるように傾斜した上端傾斜部４２ｃと、上端傾斜部４２ｃの上縁に設けられ、上側に位置する壁面材４と係合する係合部としての連結係合部４２ｄと、中間壁面部４２ｂの下部に設けられた中間壁面材止着部４２ｅと、を有している。
【００４１】
中間壁面材止着部４２ｅは、上壁面材止着部４０ｄと同様に、支柱２にビス止めされる固定部としての固定板部４２ｆと、固定板部４２ｆの上縁から壁厚方向において壁外側に向かって延出され中間壁面部４２ｂの下部に繋がる壁面連結部４２ｇと、固定板部４２ｆの下縁から壁厚方向において壁外側に向かってほぼ水平に延出された下延出部４２ｈと、を有している。固定板部４２ｆは、中間壁面部４２ｂの壁面と平行をなし支柱２と対面して当接されてビス止めされる。中間壁面材止着部４２ｅは、壁面連結部４２ｇが固定板部４２ｆより支柱２側に僅かに突出している点で上壁面材止着部４０ｄと相違している。
【００４２】
中間壁面部４２ｂの下端は、最上壁面材４０の上壁面部４０ｂの下端と同様に、下方に向かって支柱２との間隔が狭くなるように傾斜した下端傾斜部４２ｉを有している。下端傾斜部４２ｉの下縁は、下延出部４２ｈよりも高い位置に位置している。本実施形態の下端傾斜部４２ｉの下縁は、壁面連結部４２ｇと下延出部４２ｈとの上下方向における中央の位置よりも上側に位置している。中間壁面材４２の上端傾斜部４２ｃと下端傾斜部４２ｉとは、ほぼ同じ角度に傾斜している。
【００４３】
連結係合部４２ｄは、上端傾斜部４２ｃの支柱２側の端部（以下、先端という）に設けられており、中間壁面材４２が支柱２に固定された状態で、鉛直方向に沿う壁部を形成する板状の部位である。連結係合部４２ｄは、上端傾斜部４２ｃの先端から上方及び下方にそれぞれ延出し、上下方向の幅は、上壁面材止着部４０ｄ及び中間壁面材止着部４２ｅの壁面連結部４０ｇ、４２ｇと下延出部４０ｈ、４２ｈとの間隔より、僅かに狭く形成されている。
【００４４】
中間壁面材４２は、連結係合部４２ｄが、上に配置される最上壁面材４０の上壁面材止着部４０ｄまたは中間壁面材４２の中間壁面材止着部４２ｅの壁面連結部４０ｇ、４２ｇと下延出部４０ｈ、４２ｈとの間に挿入されて係合される。より具体的には、上に配置される壁面材４０、４２の下延出部４０ｈ、４２ｈ上に連結係合部４２ｄが鉛直方向に起立した状態で載置され、例えば、中間壁面材４２の固定板部４２ｆが支柱２にビス止めされて壁面連結部４２ｇが支柱２を押圧することにより、連結係合部４２ｄが壁外側に引っ張られる。このとき、連結係合部４２ｄが上に位置する壁面材４０、４２の下端傾斜部４２ｉを壁外側に引っ張ることにより、連結係合部４２ｄと下端傾斜部４０ｉ、４２ｉとがより確実に係合され、中間壁面材４２は安定した状態で支柱２に固定される。ここで、下端傾斜部４０ｉ、４２ｉが、上下に隣接する２つの壁面材４において下側に位置する下壁面材４１、４２の上端部が係合される被係合部に相当する。
【００４５】
最下壁面材４１は、上端部と下端部は中間壁面材４２と同一であり、支柱２に固定されて鉛直な壁面をなす下壁面部４１ｂの上下方向の幅が、中間壁面部４２ｂよりも狭い点で相違している。
【００４６】
次に壁の施工方法について説明する。
本実施形態の壁１の施工方法は、まず、５本の支柱２を、適宜間隔を空けるとともに直線状に並べて各々自立させて立設する。このとき、５本の支柱２のうちの両端に位置する支柱２ａは、３本の内側の支柱２ｂよりも、横材３の高さ分高く立設しておく。また、立設した５本の支柱２の周囲を取り囲むように、地面ＧＬより低く窪ませておく。
次に、３本の内側の支柱２ｂ上に横材３を載置するとともに両端に位置する２本の支柱２ａ間に配置し、横材３と各支柱２を固定部材７により固定する。
次に、両端の支柱２ａの上の小口と横材３上に笠木係止部材６を固定する。
【００４７】
次に、図４（ａ）に示すように、壁厚方向における一方側に設けられている壁面材係合部６ｂに、最上壁面材４０の上端係合部４０ａを係合させて、固定板部４０ｆを支柱２にビス止めする（上壁面材固定ステップ）。
【００４８】
次に、図４（ｂ）〜図４（ｃ）に示すように、中間壁面材４２を、上端部側が下端部側より支柱２側に位置するように傾斜させ、連結係合部４２ｄを、最上壁面材４０の壁面連結部４０ｇと下延出部４０ｈとの間に挿入し、中間壁面材４２の下端部側が支柱２に近づくように回動させて固定板部４２ｆを支柱２に当接させる。このとき、連結係合部４２ｄが下延出部４０ｈ上にて鉛直方向に起立した状態となり、連結係合部４２ｄの上部側が下端傾斜部４０ｉに支柱側から当接される（下壁面材係合ステップ）。この状態で、固定板部４２ｆをビス止めすることにより中間壁面材４２を固定する（下壁面材固定ステップ）。このように、形成される壁１の上から下に順次中間壁面材４２を支柱２に固定していく。
【００４９】
固定する中間壁面材４２の下端が、地面より低くなる中間壁面材４２を固定して、壁厚方向における一方の壁面が完成する。このとき、最下壁面材４１を用いても下端が地面より低くなる場合には、図４（ｄ）に示すように、最も下に固定する壁面材として最下壁面材４１を支柱に固定する。最下壁面材４１は必ずしも用いなくとも構わない。
次に、図４（ｅ）に示すように、壁厚方向において支柱２の反対側にも、壁面材４を上側から順次支柱２に固定して、反対側の壁面を形成する。
【００５０】
壁厚方向における両側の壁面が完成したら、窪ませておいた地面を埋めて最も下に固定されている中間壁面材４２または最下壁面材４１の下端を埋設する。
次に、上端部に設けられている笠木係止部材６の笠木係止片６ｃに笠木５の笠木被係止片５ｃを係止させて笠木５を取り付けて壁１が完成する。
【００５１】
本実施形態の壁構造によれば、上下に隣接する２つの壁面材４０、４１、４２のうちの上側に位置する上壁面材４０、４２を固定した後に、上壁面材４０、４２が固定された固定板部４０ｆ、４２ｆの壁外側にて下壁面材４１、４２の連結係合部４１ｄ、４２ｄが上壁面材４０、４２の下端傾斜部４０ｉ、４２ｉに係合される。このとき、連結係合部４１ｄ、４２ｄは固定板部４０ｆ、４２ｆ及び固定板部を４０ｆ、４２ｆ固定しているビス２０を覆っているので、複数の壁面材４０、４１、４２は、上から順次取り付けられる。このため、複数の壁面材４０、４１、４２が取り付けられたときの施工誤差を、壁１おいて視野に入りにくい下端側に累積させることが可能である。このため、複数の壁面材４０、４１、４２が上下方向に繋げられても累積する施工誤差が視認され難い壁構造を提供することが可能である。
【００５２】
また、複数の壁面材４０、４１、４２が取り付けられたときの施工誤差が壁１の下端側に累積されるので、壁１のより上部側が最も精度が高い。このため、例えば、壁１から間隔を隔てた位置に立設された支柱と壁の上部とを繋ぐ桁を掛け渡す場合であっても精度良く設けることが可能である。このとき、例えば、桁の上下方向の幅を最上壁面材４０の上下方向の幅と合わせた場合には、桁の下面と、最上壁面材４０とその下に位置する中間壁面材４２との接合ラインと、の高さが一致するので、優れた意匠性を備えることが可能である。
【００５３】
また、上下に隣接する２つの壁面材４０、４１、４２のうちの下側に位置する下壁面材４１、４２の連結係合部４１ｄ、４２ｄは、上壁面材４０、４２がビス２０により支柱２に固定される固定板部４０ｆ、４２ｆの下から延出されている下延出部４０ｈ、４２ｈ上に載置され、固定板部４０ｆ、４２ｆの上から壁外側に延出された壁面連結部４０ｇ、４２ｇよりも下方に突出する下端傾斜部４０ｉ、４２ｉに支柱２側から当接されるので、連結係合部４１ｄ、４２ｄが下端傾斜部４０ｉ、４２ｉと係合することにより上壁面材４０、４２を固定しているビス２０を隠すことが可能である。このため、より意匠性が向上する。
【００５４】
また、下端傾斜部４０ｉ、４２ｉが壁面連結部４０ｇ、４２ｇ上に載置されるので、下壁面材４１、４２を、上壁面材４０、４２を基準に位置決めすることが可能である。更に、取り付ける際には、下壁面材４１、４２を上壁面材４０、４２に引っ掛けることができるので、施工性にも優れている。
【００５５】
また、最上壁面材４０が、上端係合部４０ａを有しているので、最上壁面材４０を支柱２側の部位である、支柱２上に固定されている笠木係止部材６の壁面材係合部６ｂと係合させることにより、最上壁面材４０の上下方向の位置が決められる。このため、上から順次取り付けられる壁面材４０，４１、４２の基準となる最上壁面材４０を、適切な位置に固定することが可能である。
【００５６】
また、複数の壁面材４０、４１、４２が上から順次取り付けられて施工誤差が壁１の下端側に累積しても、下端部は地中に埋められるので、施工誤差によるずれが露出することを防止することが可能である。
また、壁面材４０、４１、４２は、支柱２を挟み両側に設けられているので、支柱２の両面に壁面を備えた壁１を提供することが可能である。本実施形態においては、壁面材４０、４１、４２が、支柱２を挟み両側に設けられている例について説明したが、壁面材４０、４１、４２は、必ずしも支柱の両側に設けられてなくとも構わない。
【００５７】
また、本実施形態の壁構造の施工方法によれば、上壁面材４０、４２を固定した後に、上壁面材４０、４２が固定された固定板部４０ｆ、４２ｆの壁外側に下壁面材４１、４２を係合させて、複数の壁面材４０、４１、４２が、上から順次取り付けられるので、施工誤差を、形成される壁１の下端側に累積させることが可能である。このため、複数の壁面材４０、４１、４２を上から下に順次取り付けていくだけで、累積する施工誤差が視認され難い壁１を容易に施工することが可能である。
【００５８】
上記実施形態においては壁１の上端から下端まで複数の壁面材４０、４１、４２が、取り付けられている例について説明したが、これに限るものでない。例えば、図５、図６に示すように、上記壁１における支柱２の両側に固定されている複数の中間壁面材４２のうち、壁１の上下方向における中間部分に配置されている中間壁面材４２の数枚が取り付けられておらず、上下方向に間隔を空けた壁面材非装着部Ｓが設けられ、壁面材非装着部Ｓに壁１の幅方向に亘る複数の格子材８が設けられていていてもよい。
【００５９】
この場合には、壁１の両面側にて、壁面材非装着部Ｓの上側に位置して、壁面材非装着部Ｓの上縁をなす中間壁面材４２の下端同士を繋ぐように、互いに隣り合う支柱２間に横材３が取り付けられている。横材３の取り付けは、固定部材７により支柱２の側面と横材３の上面とが接合されている。また、壁１の両面側にて、壁面材非装着部Ｓの下側に位置して、壁面材非装着部Ｓの下縁をなす中間壁面材４２の上端同士を繋ぐように、互いに隣り合う支柱２間に横材３が取り付けられている。横材３の取り付けは、固定部材７により支柱２の側面と横材３の下面とが接合されている。すなわち、固定部材７は、互いに隣り合う支柱２と両面の中間壁面材４２と横材３とにより囲まれた空間内に設けられている。このため、横材３は中間壁面材４２が取り付けられる前に、予め互いに隣り合う支柱２間に取り付けられている。
【００６０】
各格子材８は、２つの部材が嵌合されて構成されており、嵌合された状態で断面の輪郭が矩形状をなし、壁１の幅方向に亘る長さを有している。格子材をなす２つの部材は、壁厚方向において、支柱２側となる壁内側と、反支柱２側となる壁外側とに分割可能に嵌合されている。２つの部材の一方は支柱２に固定される基部材８ａであり、他方は、基部材８ａの壁外側に設けられている係止片８ｂに係止されて基部材８ａを覆うカバー部材８ｃである。このため、格子材８は、基部材８ａが支柱２にビス止めされた後に、ビスを覆うようにカバー部材８ｃが基部材８ａに嵌合されて取り付けられる。
【００６１】
壁面材非装着部Ｓの上側に位置して、壁面材非装着部Ｓの上縁をなす中間壁面材４２の下端に設けられている中間壁面材止着部４２ｅには、カバー部材８ｃが嵌合されるカバー嵌合部材９が係合されており、カバー嵌合部材９は支柱２に固定されている。支柱２に固定されたカバー嵌合部材９により中間壁面材４２を固定しているビスが覆われており、カバー部材８ｃが嵌合されることによりカバー嵌合部材９を固定しているビス２０が覆われている。このため、中間壁面材４２の下端は、格子材８が設けられているように見えている。
【００６２】
壁面材非装着部Ｓの下側に位置して、壁面材非装着部Ｓの下縁をなす横材３には、壁面材非装着部Ｓの下に固定される中間壁面材４２の連結係合部４２ｄが係合される格子アタッチメント１０が固定されている。格子アタッチメント１０は、横材３に固定される固定板部１０ａと、固定板部１０ａの下縁から壁厚方向において壁外側に向かってほぼ水平に延出された下延出部１０ｂと、固定板部１０ａの上縁から壁厚方向において壁外側に向かって延出された上延出部１０ｃと、上延出部１０ｃの壁外側の縁から上方に延出された鉛直壁部１０ｄと、鉛直壁部１０ｄの上端から横材３側に延出された水平面部１０ｅと、水平面部１０ｅの横材３側の縁から垂設された垂壁部１０ｆと、鉛直壁部１０ｄの下端から下方に突出されたアタッチメント突出部１０ｇと、アタッチメント突出部１０ｇの下端から横材３側に突出された突起１０ｈと、を有している。
【００６３】
水平面部１０ｅとアタッチメント突出部１０ｇの下端との上下方向の幅は、格子材８の上下方向の幅と同一に形成されている。格子アタッチメント１０は、水平面部１０ｅが横材３の上面と揃うように横材３に固定される。格子アタッチメント１０が、横材３に固定された状態では、鉛直壁部１０ｄとアタッチメント突出部１０ｇとがなす繋がった平面が、中間壁面材４２の中間壁面部４２ｂと同面をなすように構成されている。
【００６４】
横材３に取り付けられた格子アタッチメント１０の下延出部１０ｂには、下に配置される中間壁面材４２の連結係合部４２ｄが鉛直方向に起立した状態で載置され、突起１０ｈに支柱２側から当接されることにより、中間壁面材４２が位置決めされ、位置決めされた状態で固定板部４２ｆが支柱２に固定される。以下、その下に設けられる中間壁面材４２または最下壁面材４１が固定される。
【００６５】
このような壁構造によれば、中間壁面材４２の上下方向に間隔が空いている壁面材非装着部Ｓを備えた壁１を提供することが可能である。また、中間壁面材４２の上下方向に間隔が空いている壁面材非装着部Ｓの、上縁をなす上側の中間壁面材４２の下端同士、及び、下縁をなす下側の中間壁面材４２の上端同士の間を塞ぐ横材３が設けられているので、支柱２の両側に設けられている中間壁面材４２間が外部に露出しにくい。このため、より意匠性に優れた壁１を提供することが可能である。
【００６６】
また、壁面材非装着部Ｓの下縁をなす中間壁面材４２は、当該中間壁面材４２間を塞ぐ横材３に対して位置決めされるので、壁面材非装着部Ｓの下に位置する中間壁面材４２の上端と、当該中間壁面材４２間を塞ぐ横材３の上端とを揃えて配置することが可能である。このため、より意匠性に優れている。また、中間壁面材４２と横材３の上端が平坦に揃うので、窪みが形成されず、横材３上に水が溜まることを防止することが可能である。
上記実施形態においては、壁面材非装着部Ｓに格子８を設けた例について説明したが、これに限るものではない。
【００６７】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６８】
１  壁、２  支柱、３  横材、４  壁面材、２０  ビス、４０  最上壁面材（壁面材）、４０ａ  上端係合部、４０ｂ  上壁面部、４０ｆ  固定板部、４０ｇ  壁面連結部、
４０ｈ  下延出部、４０ｉ  下端傾斜部、４１  最下壁面材（壁面材）、
４１ｄ  連結係合部、４２  中間壁面材（壁面材）、４２ｄ  連結係合部、
４２ｆ  固定板部、４２ｉ  下端傾斜部、
Ｓ  壁面材非装着部、
【図１】
2019203322.tif 000003
【図２】
2019203322.tif 000004
【図３】
2019203322.tif 000005
【図４】
2019203322.tif 000006
【図５】
2019203322.tif 000007
【図６】
2019203322.tif 000008